(57)【特許請求の範囲】
【請求項１】
一定のＤＣ磁界を患者に供給する装置において、
一定のＤＣ磁界内の位置にいる患者を支持するように構成され、配置されている患者支持台と、
一定のＤＣ磁界が治療を受ける患者の体の部分を単方向に通過し、帰路磁界が患者の体を流れないよう、少なくとも５００ガウスの磁界強度で一定のＤＣ磁界を提供するように構成され、配置されている磁界発生器とを具備し、
前記磁界発生器は、一定のＤＣ磁界が患者の体の一方の側から他方の側に向けて患者の体の部分を単方向に通過するように配置された１対の磁極端部と、それら磁極端部を連結する磁路を構成している磁気コアとを具備している、一定のＤＣ磁界を患者に供給する装置。
【請求項２】
前記磁界発生器を支持するように構成され、配置されている支持構造をさらに具備する請求項１記載の装置。
【請求項３】
前記支持構造は、水平軸を中心として回転可能である請求項２記載の装置。
【請求項４】
前記支持構造は、上下方向に移動可能である請求項２記載の装置。
【請求項５】
前記１対の磁極端部には、それぞれ、第１の電磁石と第２の電磁石が設けられ、
第１の電磁石は前記患者支持台の第１の側面に配置され、
第２の電磁石は、磁力線が、第１の電磁石から、患者に占有されるべき空間を通して、第２の電磁石へ直接通過するように、前記患者支持台の第２の側面に配置され、前記患者支持台に対して第１の電磁石とは反対に配置され、
前記磁気コアは第１の電磁石のコアから第２の電磁石のコアに延びており、前記ＤＣ磁界に磁界の帰路を提供する、請求項１乃至４いずれか１項記載の装置。
【請求項６】
前記電磁石は、
磁気材料で形成されるコアと、
複数の層でコアの回りに巻かれている導線の巻線と、
少なくとも２つのグループの層にグループ分けされている層とを具備しており、
各グループの層は、複数の非磁性のスペーサによって隔てられており、スペーサは、間を冷却剤が流れるように、グループの層の各隣接する組の間にスペースを提供する請求項５項記載の装置。
【請求項７】
前記１対の磁極端部には、それぞれ、第１の電磁石と磁気回路の端部部材が設けられ、
第１の電磁石は前記患者支持台の第１の側面に配置され、
磁気回路の端部部材は、磁力線が、第１の電磁石から、患者に占有されるべき空間を通して、磁気回路の端部部材へ直接通過するように、前記患者支持台の第２の側面に配置され、前記患者支持台に対して第１の電磁石とは反対に配置され、
前記磁気コアは第１の電磁石のコアから磁気回路の端部部材に延びており、前記ＤＣ磁界に磁界の帰路を提供する、請求項１乃至４いずれか１項記載の装置。
【請求項８】
前記患者支持台は、磁界の中であお向けの姿勢で患者を支持するように構成され、配置されている請求項１乃至７いずれか１項記載の装置。
【請求項９】
前記患者支持台は、磁界の中でうつ伏せの姿勢で患者を支持するように構成され、配置されている請求項１乃至７いずれか１項記載の装置。
【請求項１０】
前記コアは焼きなました軟鋼を含んでいる請求項５乃至７いずれか１項記載の装置。
【発明の詳細な説明】
【０００１】
【発明の属する技術分野】
本発明は、一般に磁界を使用する病気の治療に関し、とくに比較的高い強度の、ゼロ周波数の適当な方位の磁界を使用する変質した組織および骨の治療に関する。
【０００２】
【従来の技術】
人間の病気の治療に磁界または磁気波を使用することが試みられている。以下はこのような治療の参考文献のリストの一部である：
Smith         米国特許第96,044号明細書
Slater et al. 米国特許第 561,448号明細書
Bachelet      米国特許第 849,653号明細書
Hahnemann     米国特許第 2,161,292号明細書
Manning       米国特許第 3,893,462号明細書
Brus et al.   米国特許第 4,481,091号明細書
Castel        米国特許第 4,587,957号明細書
Liboff et al. 米国特許第 5,087,336号明細書
Liboff et al. 米国特許第 5,183,456号明細書
Liboff et al. 米国特許第 5,211,622号明細書
種々の研究者が、整合する共振周波数を持つ特有の物質を刺激しようとして特有の低周波数の磁界を使用している。残念ながら、物質が励起されると、それらの共振周波数はシフトし、磁界の効果がなくなる。
【０００３】
この効果に対向するために、別の研究者はその範囲を掃引する種々の磁気周波数を使用するか、あるいは磁界のインパルスを使用している。しかしながら、いずれも損傷を受けた、あるいは病んでいる組織を実質的に回復させることには成功していない。
【発明が解決しようとする課題】
したがって、磁界を使用して病気を治療する効果的な方法が求められている。
【課題を解決するための手段】
本発明は、高い強度の“治療”磁界を使用することにより自然に存在しているような比較的弱い磁界中にいる患者を治療する方法に関する。
【０００４】
治療磁界は、患者の体内の細胞の最近の分裂の大部分が行われる期間中に地球磁界が通過したのと実質的に同じ方向に患者の体を通過するように整列されなければならない。したがって、本発明の第１のステップは、最近の細胞分裂中における患者の体に関する地球磁界の方向を決定することである。
【０００５】
本発明の次のステップは、比較的高い強度の磁界内において治療される患者の体の部分の位置を定めることである。治療磁界は、第１のステップで決定された地球磁界の方向にある程度対応するように方位付けられる。最低限、治療磁界は、第１のステップで決定された地球磁界の９０°以内に入っているように方位付けられていなければならない。角度が９０°より大きいと、結果的に治療磁界の成分が第１のステップで決定された地球磁界の方向に対して逆平行になってしまう。
【０００６】
本発明の特徴として、治療磁界は、フリンジまたは“帰路”磁界が患者の体のいずれの部位も第１のステップで決定された地球磁界の方向に関して鈍角方向に通過しないように制限される。
【０００７】
本発明の別の特徴として、治療磁界はゼロ周波数を有する。すなわち、それは周波数変調の生じない“ＤＣ”磁界である。
【０００８】
本発明のさらに別の特徴として、治療磁界は強度が少なくとも５００ガウスである。さらに高い強度の磁界が可能であり、良好な効果のために使用されてもよい。本発明の好ましい実施形態において、少なくとも２０００ガウスの治療磁界の強度が使用される。２０，０００ガウスの治療磁界強度を使用して良好な結果が得られている。
【０００９】
【発明の実施の形態】
本発明のこれらおよびその他の特徴、利点および目的は、以下の明細書を図面と共に考察することにより当業者に明らかになるであろう。
治療中、治療磁界は、患者の体内の細胞の最近の分裂の大部分が行われた期間中に地球磁界が通過したのと実質的に同じ方向に患者の体を通過するように整列されなければならない。したがって、図１に示されているように、本発明の第１のステップ20は、地球磁界が、最近の患者の細胞の分裂の大部分が行われた期間中にその患者の体を通過した地球磁界の優勢な方位を決定することである。この方向の決定は、体の細胞分裂のほぼ７０％が睡眠の最初の２時間内に発生するために簡単になる。したがって、地球上の場所および患者が眠っている姿勢を知ることにより、患者に関する地球磁界の方向を決定することができる。人間は動くため、地球磁界は１日のうちにその人間に関して種々の方位をとるが、ここでは便宜上“周囲方向”という用語で、地球磁界が睡眠の最初の２時間のあいだに人間の体を通過する方向を示す。
【００１０】
たとえば、北半球であお向けの姿勢で眠っている者は、北半球でうつ伏せの姿勢で眠っている他の者が経験するその磁界に対して実質的に逆平行である周囲方向の地球磁界を受ける。同様に、北半球においてあお向けの姿勢で眠っている者は、南半球でうつ伏せの姿勢で眠っている他者と同じ周囲方向の地球磁界を受ける。周囲方向の地球磁界は、一貫して特定の側で眠る人間に対して決定されることもできる。
【００１１】
地球磁界の周囲方向を決定する第１のステップ20は、一貫した姿勢で眠らない患者にとって問題である。このような場合、細胞の最近の分裂の大部分が行われた方位が存在しない。時間が許すならば、本発明による治療を試みる前に十分な日数のあいだ一貫した姿勢で眠ることを試みるように、このような者を指導することができる。
【００１２】
患者の身体の異なった部分は、患者の睡眠パターンに応じて異なった方位または一貫しない方位を有している可能性があることを認識しなければならない。たとえば、患者の胴体が静止したままであっても、患者の手足や頭は睡眠の最初の２時間のあいだに姿勢を変える傾向が強い。
【００１３】
また、患者は睡眠の最初の２時間のあいだのその睡眠中の姿勢を正しく認知していないかもしれないことを認識すべきである。治療を始める前に、患者をある期間のあいだ観察して、その患者の優勢な睡眠中の姿勢を確認してもよい。
【００１４】
本発明の第２のステップ22は、治療磁界内において治療される患者の身体の部分の位置を定めることである。
【００１５】
治療磁界は、いくつかの基準を満たしていなければならない。第１に、治療磁界の方向は、第１のステップで決定された周囲方向の９０°内に入っていなければならない。角度が鈍角だと、結果的に治療磁界の成分が周囲方向に対して逆平行になってしまう。治療磁界は周囲方向により近く、できれば平行であることが好ましい。
【００１６】
第２に、治療磁界はフリンジまたは“帰路”磁界が患者の体のいずれかの部位を望ましくない方向に通過しないように適当に制限されなければならない。この“逆磁界防止”制限は、磁石間における実質的に単方向磁界内に患者の体全体がおさまるほど広い表面積を有する磁石を使用するか、あるいは磁界の帰路を磁気回路により設けるかのいずれかによって行うことができる。
【００１７】
第３に、治療磁界はゼロ周波数を有していなければならない。すなわち、それは変調の生じない“ＤＣ”磁界でなければならない。それは周波数成分を有してはならず、あるいはパルス化されてはならない。
【００１８】
第４に、治療磁界は少なくとも５００ガウスの十分な強度を有していなければならない。磁界の強度は、少なくとも２０００ガウス、できればさらに高いものであることが好ましい。実験では、２０，０００ガウスの磁界強度を使用して良好な結果が得られている。
［本発明を実施する装置］
本発明の方法10の第２のステップ22において要求される治療磁界は、本発明の原理を逸脱することなく多数の異なった装置を使用して供給されることができる。たとえば、十分な磁界強度の磁界を発生させるために永久磁石または電磁石のいずれも使用可能である。同様に、帰路磁界が患者の体を通過しないことを確実にするために、単一の磁石または多数の磁極の磁石ならびに帰路磁界用の関連する磁気回路の種々の構成を使用してよい。さらに、治療磁界が患者の体を正しい方位で確実に通過するようにするために、磁石または患者支持台、あるいはこれら両者が調節されてもよい。
【００１９】
図２を参照すると、本発明を行う装置30が示されている。この装置30は２個の主な素子である治療磁界を生成する磁界発生器32と、治療磁界内における患者の位置を定める患者支持台34とから構成されている。
【００２０】
図２に示されている磁界発生器32は、上部電磁石36と下部電磁石38とを有する磁気回路35を含んでおり、これら磁石36および38は、それらの隣接する磁極面42の間がギャップ40だけ隔てられており、それらの反対側の磁極46上のＣ形のコア44（または“Ｃコア”）で結合している。Ｃコア44は磁界用の帰路を提供し、磁気回路35を完成させる。Ｃコア44のサイズおよび磁気容量は、事実上全ての帰路磁界がＣコア44を流れるように十分に大きくなければならない。Ｃコア44を通過しない帰路磁界は、おそらく正しい方位に対応しない方向に患者の体の部分を通過する。図２に示されている実施形態においては、Ｃコア44は、直径８インチ（２０．３ｃｍ）の円形断面を有している。
【００２１】
磁気回路35は、これに安定性および可動性を提供するＡフレーム型の支持構造48によって支持されている。ピボット接合部50により磁気回路35を水平軸を中心として回転させることができるように構成され、それによって磁気回路35を異なった構成の患者支持台と共に使用することが可能になる。また、支持構造38とＣコア44とが結合していることにより、Ｃコア44が上昇および下降することが可能になる。支持構造48はまた磁気回路35の移動を容易にする複数のホイール52を備えている。
【００２２】
図３を参照すると、２個の電磁石36、38が固体コア54上に巻かれている。コア54は、直径が４乃至１０インチ（１０．１６乃至２５．４ｃｍ）であり、さらに大きい直径が好ましい。コア54は、Ｃコア44と一体であるように構成されてもよい。コア54は、ソフトな焼なまし鋼のような磁気材料から形成されることができる。積層変成器コア材料もまた使用されることができる。しかしながら、本発明を実施するために使用される電磁石36、38は交流磁界を使用しないため、積層コア材料は必要ではなく、あるいは非積層コア材料のほうが好ましい場合もある。
【００２３】
各電磁石36、38は銅線の９，０００以上の巻回から構成され、コア54の長さに沿って２４インチ（６０．９６ｃｍ）の長さに２６インチ（６６．０ｃｍ）の直径になるまで巻かれている。上部電磁石36は下部電磁石38の正の磁極と面することになる。
【００２４】
図３に示されているように、上部電磁石36の断面は、第１の３つのグループの巻回層を巻かれたコア54を示している。第１のグループの巻線層60は、コア54の周囲に直接巻かれている。第１のグループの巻線層60は、ほぼ０．７５インチ（１．９０５ｃｍ）の厚さに巻かれている。次に、複数の縦方向のスペーサストリップ62が巻回された巻線の周囲に配置されている。スペーサストリップ62は非磁性の耐熱材料から構成され、隣接する前の巻回を被覆するように十分な長さを有していなければならない。スペーサストリップ62は、冷却剤が通過することのできるほぼ０．２５インチ（０．６３５ｃｍ）の厚さの通路を提供する。スペーサストリップ62が位置された後、スペーサストリップ62上に第２のグループの巻線の巻回が巻かれる。上部電磁石36は、巻回とスペーサが交互の多数の層から形成されている。下部電磁石38も同様の方法で構成されている。
【００２５】
スペーサストリップ62は、冷却媒体が中心コア54に平行な縦方向に電磁石36を通過するための、遮るもののない通路を提供する。良好な冷却を行うために、冷却用空気を冷却してダクトにより電磁石36、38を強制的に通過させることができる。
【００２６】
当業者は、冷却された空気以外の冷却媒体が使用可能なことを認識すべきである。水または非導電性の油のような液体が使用可能である。さらに、電磁石36、38は液体水素、ヘリウム、窒素または液体空気により低温に冷却されることができる。
【００２７】
再び図２を参照すると、示されている患者支持台34は、患者があおむけの姿勢で横たわるように設計されている。患者はプラットフォーム68上に背中が向くように横たわり、一段高いセクション70が患者の膝から下の脚を快適な位置で支持する。セクション69および70は、患者の脚をもっと高いまたは低い位置に上げるように調節可能である。
【００２８】
一段高いセクション70はプラットフォーム68に沿って縦方向に移動可能に構成され、患者がギャップ40内において治療されるようにその体の部分を位置させることができる。
【００２９】
患者支持台34は、長時間の治療中患者を快適な状態にしておくように人間工学的に設計されている。プラットフォーム68は、患者の頭が高くなるようにわずかに傾斜されている。図２に示されている実施形態において、この傾斜は２２．５°である。一段高いセクション70もまた同じ角度で傾斜されている。プラットフォーム68と一段高いセクション70を結合している短いセクション69は、プラットフォーム68に関して１２２°の角度をなしている。
【００３０】
下部電磁石38のコアは、プラットフォーム68の上面と事実上じかに接するように電磁石の巻回巻線より上方に突出していることが好ましい。プラットフォーム中の縦方向のスロット74により、磁界発生器32がプラットフォーム68に沿って容易に移動することができる。図２に示されている実施形態では、縦方向のスロット74の幅は４インチ（１０．１６ｃｍ）である。スロット74の幅より広いコアはスロット74に適合するように先細にされなければならない。
【００３１】
この下部電磁石38のコアの突出のために、ギャップの幅が減少し、それによって患者を非相補的な方向に通過することのできるフリンジ磁界が最小になる。
【００３２】
図２の患者支持台34は主に、あおむけまたはうつ伏せのいずれかの姿勢で眠っている患者向けに設計されている。上述したように、上部および下部電磁石36、38を通っている電流の方向を逆にすることによって正または負の磁界を発生させることができる。図４を参照すると、本発明の方法10において水平な患者支持台72を使用することもできる。水平な患者支持台72により、患者が家で眠っている状態と類似するように患者の位置を定めるというオプションが増える。したがって、水平な患者支持台72により、患者は治療中うつ伏せまたはあおむけの姿勢で横たわることが可能になる。この水平な患者支持台72では、患者は横向きに横たわることも可能になり、横向きで睡眠をとっている者が本発明による治療を受けることができる。
【００３３】
図５のａおよびｂを参照すると、水平な患者支持台72における横方向のスロット76は、下部電磁石38の突出したコア54が水平な患者支持台72の中央を容易に通過可能にしている。
【００３４】
患者を強制的にあおむけまたはうつ伏せの姿勢で寝かせる患者支持台は、横向きで睡眠をとっている患者を治療するために使用されることができることが認められるであろう。このような場合においては、磁界発生器32は、上部電磁石36および下部電磁石38が同じ高さになるように、回転されることができなければならない。さらに、Ｃコア44は、患者が何等妨げられることなく電磁石36、38間に横たわることができるように回転されることができなければならない。
【００３５】
図６を参照すると、単一の電磁石80を使用する本発明による治療用磁界を発生するための別の装置78が示されている。単一の電磁石80は、患者支持台のすぐ下に位置されている。
【００３６】
図７を参照すると、図６に示されている装置78の単一の電磁石80は、長さ２フィート（６０．９６ｃｍ）×幅３インチ（７．６２ｃｍ）の長方形のコア92上に巻かれている。電磁石80は図３を参照して上述したように多数の銅線の巻回から構成され、ほぼ１フィート（３０．４８ｃｍ）の巻回である。
【００３７】
磁気共鳴映像（ＭＲＩ）装置はまた本発明による治療用の磁界を生じるように改造されることができる。ＭＲＩ装置は、管内において体の構成を判断して決定するために高い周波で変調されたＤＣ磁界を使用する。変調をディスエーブルすることによって、本発明によって要求されるＤＣ磁界をＭＲＩ装置により発生させることができる。
【００３８】
図８を参照すると、ややもたれた姿勢で座っている患者96と共に管状型式の磁気共鳴映像装置が示されている。このような姿勢で患者96が座ることを可能にするには、比較的大きい直径のＭＲＩ管が必要であることに注意すべきである。患者96を強いて平らに横たえた場合、磁界は本発明の方法10の第１のステップ20（図１）において決定された地球磁界の周囲方向と整列されることができない。
【００３９】
しかしながら、改造されたＭＲＩ装置94は、その管の直径が一般に小さいため本発明を実施するのに理想的ではない。さらに、比較的大きい直径のＭＲＩ管であっても、患者の脚を磁界に対して垂直に適合させることはできず、したがって脚に対して最大の効果は得られないことが認められるであろう。
［理論的背景］
本発明の磁界が患者の体の組織と相互作用する正確なメカニズムは知られていないが、以下において発生すると考えられていることを説明する。
磁界中の電子の動作は複雑な現象であるため、必然的にこの説明はかなり簡単化されたものとなる。これらの現象は、原子より小さい粒子が量子力学の法則に従うため、古典的な物理学だけを使用して調査されることはできない。ボーアの原子モデルにおいて、電子は原子の核の周囲の円軌道をたどる。量子力学では、原子核の近くの範囲の限定された空間領域中でのみ電子は発見される見込みがあるが、それはそれらのスピンではないことが明確に述べられている。電子は核を取囲んでいる軌道シェルを満たすと、スピンの一方が他方のものと逆になるように対にされ、それによって磁気双極子モーメントを互いに打ち消す。対でない電子が存在すると、常磁性および強磁性特性が生じる。
【００４０】
ｓ殻中に価電子（すなわち、最も外側の相互作用する電子）を有する、すなわち、周期律表のはじめの２列であるアルカリ金属（ナトリウム、カリウムを含む）およびアルカリ土類（カルシウムを含む）の原子の場合、電子密度雲の形状は球形であり、したがって、磁界が電子の軌道の形状に与える最終的な影響は、軌道が全ての方向において対称的なのでゼロである。
【００４１】
ｐまたはｄ殻における価電子について、磁界の影響は、いくつかが高エネルギ状態を有し、いくつかが低エネルギ状態を有するいくつかの異なったレベルに殻を分割することである。殻が完全に満たされている（希ガスの場合のように、ヘリウムから始まる周期列および亜鉛から始まる列の金属）場合、これらのエネルギレベル差は完全に消えて、原子を磁界の内側にないものと等しいエネルギ状態にしておく。部分的に満たされた電子殻に対しては、電子は最初に低エネルギ状態を占有し、その後高エネルギ状態を満たす。そのため、軌道上の電子は、可能ならば、最も低い潜在エネルギ状態になるようにその軌道の配列を変える。これは、磁界によって電流ループに与えられるトルクに類似している。
【００４２】
しかしながら、磁界中の軌道上の電子の角速度は、
ωL ＝−ｅ／２ｍ（／Ｂ）          （１）
によって表され、ここでωL は角速度（“ラーモア周波数”とも呼ばれる）であり、ｅは電子の電荷（１．６×１０19Ｃ）であり、ｍは電子の質量（９．１×１０-31 ｋｇ）であり、（／Ｂ）はＷ／ｍ2 での磁界ベクトルである（１ガウス＝１０-4Ｗ／ｍ2 ）。電子は外部から与えられた磁界にさらされたときに、周波数の増加を受ける。以下の表には、外的磁界による単一の電子の可能な最大の周波数増加が示されている。
表（１）
0004503837.tif 000002
電子が受ける実際の周波数変化は、電子軌道の配向に応じて、とくに多電子原子ではもっと小さい可能性がある。ナトリウムおよびカリウムの両者は、単一のｓ殻価電子を有し、カルシウムはこれを２つ有している。炭素、燐、酸素および塩素はそれぞれ、少なくとも１つの対をなしていない電子をｐ殻の軌道に有しており、最大周波数増加を受けやすい。その他の電子は特有の配向を有しており、周波数増加を受ける可能性があるが、その程度は最大ではない。
【００４３】
この周波数の増加は、明らかに患者の体内における化学反応の速度を増加させ、それによって損傷を受けたり弱っている器官および組織を回復させると共にこの回復を速める。
【００４４】
磁界における電子に作用する起電力（ｅｍｆ）は、
δ＝−ｄφ／ｄｔ＝−Ａ（ｄＢ／ｄｔ）          （２）
ここでギリシャ文字の符号φは磁束を表し、Ａは電子の軌道の垂直エリアであり、Ｂは磁界であり、ｔは時間である。軌道が磁界に対して垂直でない場合、ＡはＡｓｉｎθになり、この場合θは軌道の平面と磁界の方向との間の角度である。
【００４５】
一般的な傾向として、原子は周期表の下にいくにしたがって大きくなり、左から右にいくにしたがって小さくなる。
【００４６】
以下の回数にわたって磁界を０．５ｗ／ｍ2 （５０００ガウス）変化させた結果電子に作用した起電力を以下の表に示す。
【００４７】
表（２）
0004503837.tif 000003
明らかに、５０００ガウスの磁界の導入のよるｅｍｆの変化は、全ての元素において無視できるほど僅かである。
［ケーススタディ］
ケーススタディ＃１：神経膠芽腫のＩＶ期の癌を患っており、磁気共鳴映像（ＭＲＩ）の最も活発な状態から運動機能を司る脳の領域における壊死が確認された４８歳の男性。患者１は、筋肉が痙性麻痺の症状を示して歩行または起立不能な昏睡状態に達した。
【００４８】
本発明にしたがって３，０００乃至１０，０００ガウスの磁界を脳内の腫瘍領域全体に与えることにより患者１を治療した。磁界は、１１日の期間にわたり１日当たり１４時間与えられた。その結果、患者１は治療の終了時にはしゃべったり歩行したりすることが可能になった。
【００４９】
この改善は、腫瘍の大きさの減少による“デバルキング(debulking) ”すなわち患部領域の圧力の減少の結果であったかもしれないという懸念があった。しかしながら、ＭＲＩは患部領域が壊死していることを示していた。したがって、機能が戻ったのはデバルキングのためであるはずはなかった。
【００５０】
ケーススタディ＃２：ウィルス性脳炎を患い、右側の視神経領域が壊死した３１歳の女性。患者２は、右側の視神経の完全な壊死と診断され、その診断は磁気共鳴映像により確認された。患者２は、病状が深刻な段階の２か月間入院していた。
【００５１】
本発明にしたがって３，０００乃至１０，０００ガウスの磁界を１日当たり２時間７日間にわたって患部領域に与えることにより患者２を治療した。
【００５２】
その結果、この患者の視力は６０％回復し、とくにある辺縁視以外完全に回復した。
【００５３】
ケーススタディ＃３：癌を患い、脊髄組織の一部を除去された２２歳の男性。患者３は、８か月前に、腹面（前方）側に神経組織の僅かなストランドを残して、椎骨のＣ４からＴ１領域の脊髄のＩＶ期の神経膠芽腫を外科手術で切除した。
【００５４】
シカゴ地区のクリニックによると、患者３は外科手術後に続いて放射線および化学療法を受けた後でさえ、癌が依然として存在していた。患者３は、右親指の触感以外そのウエストから下が麻痺していた。これは明らかに脊髄のＣ４からＴ１セクションに唯一残っている神経組織に対応していた。
【００５５】
本発明にしたがって１日当たり１０乃至１５時間を１１日間にわたって椎骨のＣ４からＴ１領域に対して５，０００ガウスの磁界を与えて患者３を治療した。総治療期間はほぼ１３０時間であった。
【００５６】
４か月後のフォローアップ検査において、患者３が得ていた機能は、この期間のあいだに失われていた。さらに１１日間にわたる１２０時間の追加治療の結果、最初の一連の治療で得られていた運動機能と感覚が同様に得られた。
一年後、患者３の癌は増殖していないことが報告されている。
【００５７】
ケーススタディ＃４：８か月前の交通事故のためにほとんど切断された脳梁および多数の脳挫傷の形態の重傷の脳損傷を患っている２３歳の男性。Ｘ線検査の報告および医師の診断によると、脳梁の切断および多数の脳挫傷が存在していた。患者４は２か月間意識不明であった。彼の意識が回復した時、彼の目、腕、脚および足等の身体機能が左右相称に協調していないことが認められた。さらに、彼の短期間の記憶、認識推理能力、嗅覚および味覚は失なわれていたことが認められた。
【００５８】
患者４はその後の６か月間にカリォルニア州ロサンゼルスで優秀な医師および理学療法士よるリハビリテーションを受けた。その期間中に彼は、負傷兵のように脚が硬直した状態で歩行するのに十分な運動機能を回復した。また、集中することにより、両手を若干使えるまで回復した。腕、目および足は依然として左右相称に協調しておらず、短期間の記憶、嗅覚および味覚も失われたままであった。彼は、手洗所の案内板等のある基本的な標識を認識する以外は読むことができなかった。
【００５９】
本発明にしたがって１日当たり１７乃至１８時間の強い単方向磁界により８日間にわたって患者４を治療した。その結果、治療５日目に、この患者の両目が協調を開始し、焦点が合い始めた。治療６日目に彼は読むことが可能になり、治療中に本１冊を読んだ。治療７日目に、彼は治療中別の本を読んだ。
【００６０】
残念ながら、患者４は、家庭の緊急事態のために治療を止めて、モンタナにある家に戻らなければならなかった。しかしながら、彼の帰宅前のテストおよび検査から、彼の短期間の記憶が回復しており、認識推理力が戻っており、臭いと味を認識できることが立証された。彼はまた筋肉の協調性に問題はあるものの、短い距離を走ることができた。
【００６１】
ケーススタディ＃５：脳橋梗塞のために両瞼を除く全身麻痺に侵された３０歳の男性。患者５は負傷した時に脊椎指圧療法の学生であり、仲間の学生から頸部椎骨に対して手技を施されていた。彼の頸動脈の１つが損傷を受け、そのために血塊が脳橋につかえて、脳橋梗塞を引き起こした。彼が意識を取戻した時、彼は両瞼を除く全身が麻痺していることが認められた。目は焦点を合わせることができたが、協調することができなかった。
【００６２】
患者５は、回復するために南カリフォルニアの各所の多くのクリニックで治療を受けた。８年の治療の結果、彼の頭の左半分の感覚および運動機能が回復した。彼はまた左手の人差し指を動かすことができた。
【００６３】
その後、本発明にしたがって１日当たり３乃至４時間づつ３０日間、すなわち合計１２０時間にわたって頭部全体に対する単方向磁界の印加により患者５を治療した。
【００６４】
その結果、患者５の頭部および頸部の右側の全ての運動機能および感覚機能が回復し、彼は頭をあげて、ほほ笑み、また、表情を全体的に使うことができるようになった。彼の食道の反射運動は回復した。彼は依然として歩行できなかったが、ある運動機能は回復した。全身の感覚のほとんどが回復した。目の協調が回復した。
【００６５】
ある検査中に、彼の頭骨は脱臼しており、彼の脊髄を締めつけていることが認められた。彼の頭骨が本来の位置に戻されたとき、彼は全ての身体機能を取戻した。彼は、脊椎に対して頭骨を正しく固定し整合するために整形外科治療クリニックに送られた。
【００６６】
患者５は話す能力を取戻してはいないが、言葉は学習されるので、おそらくこの能力はゆっくりと回復すると思われる。彼は話し方を再学習する必要があるのかもしれない。
【００６７】
以下のケーススタディは、本発明の適切なレベルおよび効果を決定する際に行われた。
【００６８】
ケーススタディ＃６：２年前に交通事故で頭部を損傷した５５歳の女性。彼女は耐えがたい長期の頭痛と、胆のうが脂肪を分解することができず、そのため食事制限が要求される胆のう機能不全に苦しんでいた。
【００６９】
本発明にしたがって１日当たり１０時間づつ５日間、合計５０時間にわたって頭部に３，０００ガウスの磁界を与えて患者６を治療した。その結果、彼女の頭痛は完全に消えた。患者６はまた、本発明にしたがって肝臓と胆のうを３，０００ガウスの磁界により合計３０時間にわたって治療した。その結果、彼女の消化機能は正常に戻った。
【００７０】
ケーススタディ＃７：蜘蛛膜下出血を起こした６５歳の男性。ほぼ２か月後の彼の症状は、（１）両脚と大臀筋の衰弱、（２）聴覚の部分的喪失、（３）全身衰弱、（４）卒中以前のレベルより低下した視力、（５）定常的な精神疲労、および（６）乏しい記憶および認識推理力（一例として、患者７は彼の小切手帳の差引勘定をもはや加算または減算することができなかった）であった。
【００７１】
本発明にしたがって６日間にわたって７２時間のあいだ頭部に３，０００ガウスの磁界を与えて患者７を治療した。その結果、彼の（１）両脚の筋力の６０％が回復し、（２）聴覚が正常に戻り、（３）心身のはたらきが正常に戻って、筋肉が強くなり続け、（４）視力が正常に戻り、（５）精神疲労がほとんど消え、（６）知的鋭敏さが正常に改善し、優れた記憶力および認識推理力を取戻した。
【００７２】
ケーススタディ＃８：ほぼ１１か月前に転移した黒色腫瘍であると診断された６６歳の男性。その元の位置は肛門であったが、肺および主として肺領域の周囲のリンパ系に転移した。
【００７３】
本発明にしたがって１日当たり１２時間づつ６日間、合計７２時間にわたって肺に２，５００ガウスの磁界を与えて患者８を治療した。患者８はまた、１日当たり１２個のＭａｎａｌｏｅカプセルと、１２個のＰｈｙｔａｌｏｅカプセルと、１日当たり２０グラムの乳清プロテイン（Ｉｍｍｕｎｏｃａｌ）を服用した。その結果、中軸左側のリンパ節の癌は完全に消えた。患者８はまた、運動ルーチンの測定によって精力および身体能力が増進していた。６日間の治療後、患者８は１つのワークアウトにおける腕たて伏せの回数を６０回から９４回に増やした。放射線学的検査で、彼の両肺間の縦隔領域における主な病変は、直径が５ｃｍから２．５ｃｍに萎縮していると判断された。
【００７４】
ケーススタディ＃９：６年前から進行性のアルツハイマー病を患い、最後にとった食事の内容や彼女がいる場所を忘れてしまう７５歳の女性。彼女は、１時間のあいだに１分おきに同じ質問を繰り返す。彼女の人格は、彼女自身を表現する能力が制限された。
【００７５】
本発明にしたがって１日当たり３時間づつ４日間、合計１２時間にわたって脳に４，０００ガウスの磁界を与えて患者９を治療した。その結果、患者９の記憶力が改善された。彼女は自分が最後の食事で食べたいくつかのものを思い出すことができた。患者９はもはや質問の繰り返しをしなかった。また、彼女の人格は正常の８０％まで回復した。しかしながら、さらに治療を続けて行わなかったので、彼女はすぐに昔の状態に戻った。
【００７６】
ケーススタディ＃１０：患者１０は女性であり、ものを一気に飲み込むことが困難であった。彼女はまた寒い感じを受けていた。
この患者１０の治療は、本発明にしたがって１セッション当たり２．５時間を４セッション、合計１０時間にわたって彼女の脳に３，０００ガウスの磁界を与えることにより行われた。その結果、患者は（１）体が暖かいという感じが増加し、（２）体力が向上し、（３）飲み下しが改善し（食べ物が喉につかえなくなり）、（４）腸全体の機能が回復し、（５）機敏さが増し、（６）首の筋肉痛が減少し、（７）注意力が増し、（８）平衡が良好であり、（９）筋肉強度の増加により両腕を頭上に上げることができるようになった。
【００７７】
ケーススタディ＃１１：脳卒中の発作により脳の左側で出血し、その結果右半身が麻痺した４８歳の女性。作業療法および集中治療の結果、発作から１５か月後に彼女はある感覚と運動機能を回復した。それでもなお、治療の開始時の患者１１は（１）言語障害があり、（２）右半分の顔面が麻痺し、（３）右腕の三角筋および二頭筋しか機能せず、（４）右脚の機能が制限され（患者１１は歩行器の助けによりかろうじて歩行することが可能であった）、（５）人格が制限されていた。
【００７８】
本発明にしたがって３，０００ガウスの磁界を２８日間にわたって３００時間脳に与えて患者１１を治療した。その結果、彼女は体の両側の感覚および運動機能が大幅に回復し、実質的に体の右側が改善された。彼女の言語能力はほぼ正常に戻り、顔面麻痺はなくなり、右腕の機能が回復し（指の機能は回復しなかったが）、彼女は補助なしに歩行することができ、彼女は以前の人格を取戻し、彼女の家族を喜ばせた。
【００７９】
ケーススタディ＃１２：１７年前から特発性神経障害（筋ジストロフィー）を患っている６８歳の男性。彼の全ての筋肉の機能は低下してしまっていた。彼の左脚の筋肉は衰弱のために萎んでいた。彼は過度の筋肉疲労のために一日２時間しか働くことができなかった。彼は左脚に固定器を着けて、ゆっくり、注意深く短い距離を歩行することしかできなかった。
【００８０】
本発明にしたがって３，０００ガウスの磁界を２５．５時間小脳に与えて患者１２を治療した。その結果、彼の左足の筋力が回復した。わずか１０時間の治療の後、彼は山野を７マイルハイキングし、他のハイカーに遅れずについていくことができた。彼は１日ほぼ１２時間のフルタイム労働に復帰できており、“すばらしい！”と報告している。左足の背面屈曲動作は依然として弱いが、その他の彼の筋肉は正常な機能レベルに戻っている。
【００８１】
ケーススタディ＃１３：１１年前にテニス事故で左膝の前方十字靭帯を怪我した２２歳の女性。彼女は、運動範囲を広げると共に継続的な痛みを軽減しようとして６年間に６度の外科手術を受けた。治療する前、彼女の曲げ延ばしの運動範囲は共に１０°に減少していた。
【００８２】
本発明にしたがって５，０００ガウスの磁界を１．５時間左膝の前方十字靭帯に与えて患者１３を治療した。その結果、彼女の左膝の痛みは全てなくなり、彼女は全範囲にわたって動くことかできた。しかしながら、彼女は自分の左膝が今でも右膝より弱いと思っている。
【００８３】
ケーススタディ＃１４：６年間パーキンソン病を患っている７３歳の女性。彼女の症状には（１）平衡感覚の低下、（２）彼女の左手が最も顕著である全身に及ぶ衰弱、（３）便秘、（４）鬱、（５）後方および横方向に踏み出すことができない、（６）手をたたいたり、万歳をすることができない、（７）筋肉が弱くなったために顔に表情がないことが含まれる。
【００８４】
本発明にしたがって４，０００ガウスの磁界を１４日間にわたって９７．５時間脳に与えて患者１４を治療した。その結果、彼女の平衡感覚は現在良好である。彼女の全体的な体力は良好であり、彼女の左手が正常な強さに戻っている。彼女の便秘は解消されている。彼女の感情的な傾向は良好である。彼女は後方および横方向に歩行することができ、ダンスさえ可能である。彼女は、拍手および万歳をすることができる。彼女の無表情はほほ笑みに代っている。
【００８５】
ケーススタディ＃１５：鬱血性心不全を患っている９１歳の女性。彼女は歩行すると常に息切れおよび激しい動悸にみまわれる。
【００８６】
本発明にしたがって２週間にわたって患者１５を治療した。その結果、彼女は現在一時に２マイル歩行することができる。
【００８７】
ケーススタディ＃１６：血圧値が１９０／１０５の高血圧を患っている６８歳の男性。
【００８８】
本発明にしたがって６日間にわたってほぼ５０時間患者１６を治療した。その結果、彼の血圧は１３８／７８に下がった。
【００８９】
ケーススタディ＃１７：効果をもたらさない心房結節の６２歳の男性。
【００９０】
本発明にしたがって１２時間の１セッションのあいだ患者１７を治療した。その結果、彼の心臓はその心房の細動を止めた。
【００９１】
以下のようなケーススタディによれば、本発明による治療方法が筋肉および中枢神経系を含む一般的な組織再生にとって有益であることを示す傾向が認められる。別のケーススタディはまだ結果が出ておらず、脳性麻痺、自閉症、注意力散漫な活動過多障害のような脳の病気に関するリサーチが行われている。
【００９２】
上述した明細書の中で使用した用語および表現はここでは限定的なものではなく単なる説明用語として使用されており、このような用語および表現の使用によりここに図示および説明されている特徴の等価なものおよびその部分を排除するものではない。本発明の技術的範囲は添付された請求の範囲のみにより規定され限定されるべきである。
【図面の簡単な説明】
【図１】  本発明による患者の治療方法のブロック図。
【図２】  本発明にしたがって患者を治療するために方向付けられた単方向のＤＣ磁界を発生する２個の電磁石を使用する装置の斜視図。
【図３】  図２のライン３−３における電磁石の簡単な断面図。
【図４】  図２の水平方向の患者支持台および図２の磁界発生器の側面図。
【図５】  磁界発生器が治療位置にある状態の図４の患者支持台の一部分の図４のライン５Ａ−５Ａにおける断面図、および磁界発生器が患者支持台から分離された状態の図５のａに示されている患者支持台の一部分の平面図。
【図６】  本発明にしたがって患者を治療するために方向付けられた単方向のＤＣ磁界を発生する単一の電磁石を使用する別の装置の斜視図。
【図７】  図６のライン７−７における電磁石の断面平面図。
【図８】  本発明にしたがって患者を治療するために改造された管型の磁気共鳴像装置の斜視図。
【図１】
0004503837.tif 000004
【図２】
0004503837.tif 000005
【図３】
0004503837.tif 000006
【図４】
0004503837.tif 000007
【図５】
0004503837.tif 000008
【図６】
0004503837.tif 000009
【図７】
0004503837.tif 000010
【図８】
0004503837.tif 000011